(57)【要約】      （修正有）【課題】墓参り用手桶及び墓参り用柄杓の収納具並びに当該収納具を備えた墓を提供する。【解決手段】墓参り用手桶２を逆さまにしてその桶柄部２００を下方にして収納できる桶用開口収納部１００と桶用開口収納部１００に連設した桶側空間部１０１と墓参り用柄杓３を逆さまにしてその杓柄部３００を下方にして収納できる杓用開口収納部１０２と杓用開口収納部１０２に連設した杓用導水部１０３とを備えてなる墓参り用手桶及び墓参り用柄杓の収納具１並びにそれを備えた墓。線香などの墓参り用具入れ４をも備えてなるとよい。高齢化時代の到来で手桶及び柄杓の墓地での設置個数の増大を図らなければならずその為の収納整理棚や籠等の設置スペースが必要であるがその設置スペースを確保できる。線香などの墓参り用具入れ４を備えてなるので、ロウソク、線香等の墓参り用具を用意することなく手に持っていかなくても済ますことができる。【選択図】図４
0003148621.tif 000002
【実用新案登録請求の範囲】
【請求項１】
墓参り用手桶を逆さまにして当該手桶の桶柄部を下方にして収納できる桶用開口収納部と当該桶用開口収納部に連設した桶側空間部と墓参り用柄杓を逆さまにして当該柄杓の杓柄部を下方にして収納できる杓用開口収納部と当該杓用開口収納部に連設した杓用導水部とを備えてなることを特徴とする墓参り用手桶及び墓参り用柄杓の収納具。
【請求項２】
墓参り用手桶及び墓参り用柄杓を各々逆さまにして当該手桶の桶柄部及び当該柄杓の杓柄部を各々下方にして収納できる桶杓両用開口収納部と当該桶杓両用開口収納部に連設した桶杓両用空間部とを備えてなることを特徴とする墓参り用手桶及び墓参り用柄杓の収納具。
【請求項３】
墓参り用手桶及び墓参り用柄杓を除くロウソク、線香等の墓参り用具入れを桶用開口収納部又は桶杓両用開口収納部に設けてなることを特徴とする、請求項１又は２に記載の墓参り用手桶及び墓参り用柄杓の収納具。
【請求項４】
墓参り用手桶を逆さまにして当該手桶の桶柄部を下方にして収納できる桶用開口収納部と当該桶用開口収納部に連設した桶側空間部と墓参り用柄杓を逆さまにして当該柄杓の杓柄部を下方にして収納できる杓用開口収納部と当該杓用開口収納部に連設した杓用導水部とを備えてなる墓参り用手桶及び墓参り用柄杓の収納具又は収納部を墓地に備設してなることを特徴とする墓。
【請求項５】
墓参り用手桶及び墓参り用柄杓を各々逆さまにして当該手桶の桶柄部及び当該柄杓の杓柄部を各々下方にして収納できる桶杓両用開口収納部と当該桶杓両用開口収納部に連設した桶杓両用空間部とを備えてなる墓参り用手桶及び墓参り用柄杓の収納具又は収納部を墓地に備設してなることを特徴とする墓。
【請求項６】
墓参り用手桶及び墓参り用柄杓の収納具又は収納部が、当該墓参り用手桶及び墓参り用柄杓を除くロウソク、線香等の墓参り用具入れを桶用開口収納部又は桶杓両用開口収納部に設けてなることを特徴とする、請求項４又は５に記載の墓。
【考案の詳細な説明】
【技術分野】
【０００１】
本考案は、墓参り用手桶及び墓参り用柄杓の収納具並びに当該収納具を備えた墓に関するものである。
【背景技術】
【０００２】
墓参りの時に使用される手桶及び柄杓は、通常、墓地に設置された墓地用具の収納整理棚等に多数掛けられていて、そこから手桶及び柄杓を持って墓に行くことが多い。又、籠の中に多数入れられていて、そこから取り出して手桶及び柄杓を持って墓に行くこともある。
そうした場合、整理棚に手桶及び柄杓が混じり合って乱雑に掛けられていたり、又、籠の中に多数の手桶及び柄杓のみならずちり取りや箒などの墓地用具が整理整頓されずに乱雑に入れられていたりすると、そこから適切に手桶及び柄杓を取り出すのは容易ではない。
近時は、高齢化時代の到来で墓参り客も増加し、それに伴い当該手桶及び柄杓の墓地での設置個数の増大を図らなければならない事態にも至っているが、設置スペースは不足しがちである。
又、墓参りに来た人が、墓地に設置された墓地用具の収納整理棚や籠から、他人もが使用できる一般的な手桶及び柄杓ではこれを善しとしない人もあり、自分独自の手桶及び柄杓により墓参りしたいと望む人もいる。しかし、自分独自の手桶及び柄杓を用意するとなると、自動車なりに、その都度、手桶及び柄杓を積んで運ばなければならず、億劫でもあり、又、自分のお墓に持ち運ばなければならず、運ぶのに自動車を降りて手に持っていかなければならない場合もあり、その場合、花束やちり取りや箒などの掃除用具や鋏や線香などと一緒に手に持っていかなければならない場合もあり、苦労を強いられることになる。
一方、上記からも判るように、墓参りに際しては、手桶及び柄杓の他に、ロウソク、線香、マッチ、数珠、鋏、掃除用具などの主として小物の墓地用具を用意し、手に持っていかなければならない場合もあり、その都度、当該小物をも、用意し、手に持っていかなければならず、苦労を強いられることになる。
【考案の開示】
【考案が解決しようとする課題】
【０００３】
本考案は、上記のような従来技術の欠点を解消できる技術を提供することを目的としたものである。
本考案の他の目的および新規な特徴は以下の明細書及び図面の記載からも明らかになるであろう。
【課題を解決するための手段】
【０００４】
本考案の実用新案登録請求の範囲は、次の通りである。
（請求項１）  墓参り用手桶を逆さまにして当該手桶の桶柄部を下方にして収納できる桶用開口収納部と当該桶用開口収納部に連設した桶側空間部と墓参り用柄杓を逆さまにして当該柄杓の杓柄部を下方にして収納できる杓用開口収納部と当該杓用開口収納部に連設した杓用導水部とを備えてなることを特徴とする墓参り用手桶及び墓参り用柄杓の収納具。
（請求項２）  墓参り用手桶及び墓参り用柄杓を各々逆さまにして当該手桶の桶柄部及び当該柄杓の杓柄部を各々下方にして収納できる桶杓両用開口収納部と当該桶杓両用開口収納部に連設した桶杓両用空間部とを備えてなることを特徴とする墓参り用手桶及び墓参り用柄杓の収納具。
（請求項３）  墓参り用手桶及び墓参り用柄杓を除くロウソク、線香等の墓参り用具入れを桶用開口収納部又は桶杓両用開口収納部に設けてなることを特徴とする、請求項１又は２に記載の墓参り用手桶及び墓参り用柄杓の収納具。
（請求項４）墓参り用手桶を逆さまにして当該手桶の桶柄部を下方にして収納できる桶用開口収納部と当該桶用開口収納部に連設した桶側空間部と墓参り用柄杓を逆さまにして当該柄杓の杓柄部を下方にして収納できる杓用開口収納部と当該杓用開口収納部に連設した杓用導水部とを備えてなる墓参り用手桶及び墓参り用柄杓の収納具又は収納部を墓地に備設してなることを特徴とする墓。
（請求項５）  墓参り用手桶及び墓参り用柄杓を各々逆さまにして当該手桶の桶柄部及び当該柄杓の杓柄部を各々下方にして収納できる桶杓両用開口収納部と当該桶杓両用開口収納部に連設した桶杓両用空間部とを備えてなる墓参り用手桶及び墓参り用柄杓の収納具又は収納部を墓地に備設してなることを特徴とする墓。
（請求項６）  墓参り用手桶及び墓参り用柄杓の収納具又は収納部が、当該墓参り用手桶及び墓参り用柄杓を除くロウソク、線香等の墓参り用具入れを桶用開口収納部又は桶杓両用開口収納部に設けてなることを特徴とする、請求項４又は５に記載の墓。
【考案の効果】
【０００５】
本願において開示される考案のうち代表的なものによって得られる効果を簡単に説明すれば、下記のとおりである。
すなわち、本考案によれば、次のような利点がある。
墓地に設置された墓地用具の収納整理棚等に多数掛けられている手桶及び柄杓を、その掛けられた場所から持たずに墓参りできる。特に、当該整理棚に手桶及び柄杓が混じり合って乱雑に掛けられていたりしても、それと関係なく、墓参りできる。
又、籠の中に多数入れられていて、そこから苦労して取り出して手桶及び柄杓を持って墓に行くことが省かれ、特に、当該籠の中に多数の手桶及び柄杓のみならずちり取りや箒などの墓地用具が整理整頓されずに乱雑に入れられていたりしていても、それと関係なく、墓参りできる。
高齢化時代の到来で手桶及び柄杓の墓地での設置個数の増大を図らなければならず、その為の収納整理棚や籠等の設置スペースが必要であるが、既存の墓地に本考案の墓参り用手桶及び墓参り用柄杓の収納具や当該収納部を設けるようにすれば、個々の当該手桶や柄杓の設置場所を分散でき、結果として、その設置スペースを確保できる。
自分独自の手桶及び柄杓を持つことが出来、自動車なりに、その都度、手桶及び柄杓を積む必要がなくなり、花束や掃除用具や鋏や線香などと一緒に手桶及び柄杓を持っていく必要が無くなる。
ロウソク、線香等の墓参り用具入れを桶用開口収納部又は桶杓両用開口収納部に設けてなるので、マッチ、数珠、鋏、掃除用具などの小物の墓地用具を用意することなく、又、手に持っていかなくても済ますことができる。
【０００６】
次に、本考案の実施例を図面を参照しつつ説明する。
【実施例】
【０００７】
図１、図２及び図３に示すように、墓参り用手桶及び墓参り用柄杓の収納具１には、墓参り用手桶２を逆さまにして当該手桶２の桶柄部２００を下方にして収納できる桶用開口収納部１００と当該桶用開口収納部１００に連設した桶側空間部１０１と墓参り用柄杓３を逆さまにして当該柄杓３の杓柄部３００を下方にして収納できる杓用開口収納部１００２と当該杓用開口収納部１０２に連設した杓用導水部１０３とを備えてなる。
当該墓参り用手桶及び墓参り用柄杓の収納具１は、図１、図２及び図３に示すように、墓参り用手桶２及び墓参り用柄杓３を、当該墓参り用手桶２及び墓参り用柄杓３の桶本体部２０１及び杓本体部３０１を上に、一方、当該墓参り用手桶２及び墓参り用柄杓３の桶柄部２００及び杓柄部３００を下にして、当該墓参り用手桶２及び墓参り用柄杓３に対する当該収納具１の桶用開口収納部１００及び杓用開口収納部１０２に各々立てかけるようにする。
当該収納具１の当該墓参り用手桶２用の桶用開口収納部１００における開口は、例えば、図示のように、楕円形状に形成され、当該墓参り用手桶２の桶柄部２００が当該開口から当該桶用開口収納部１００に入れられ、又、当該墓参り用手桶２を立て掛けることができるように構成されている。
一方、当該収納具１の当該墓参り用柄杓３用の杓用開口収納部１０２における開口は、例えば、図示のように、楕円形状に形成され、当該墓参り用柄杓３の杓柄部３００が当該開口から当該杓用開口収納部１０２に入れられ、又、当該墓参り用柄杓３を立て掛けることができるように構成されている。当該墓参り用柄杓３用の杓用開口収納部１０２における開口の大きさは、通常の墓参り用柄杓３の杓柄部３００が当該開口から当該杓用開口収納部１０２の内部にに入れられる大きさに構成されている。
【０００８】
当該墓参り用手桶及び墓参り用柄杓の収納具１においては、図１、図２及び図３に示すように、墓参り用手桶２に対して、当該手桶２の桶柄部２００を下方にして収納できる桶用開口収納部１００に連設して、当該桶用開口収納部１００の下部に、桶側空間部１０１が設けられている。
当該桶側空間部１０１は、例えば、当該墓参り用手桶２の使用後に、当該墓参り用手桶２の桶本体部（水を盛る為の桶部）２０１に付着した水や当該桶用開口収納部１００の開口から侵入してきた雨水等を、下方に導くことができ、水抜きを行うことができ、又、葉などが当該墓参り用手桶２用の桶用開口収納部１００における開口から入ってきたときにも外部に出すことができる。当該桶側空間部１０１は、図３に示すように、底部にも延設され、桶用開口収納部１００における開口と当該桶側空間部１０１とは、上下に貫通している。当該底部の当該桶側空間部１０１から手やホウキなどを差し込んで、当該桶側空間部１０１から落下してきた落ち葉などを清掃することができる。
【０００９】
墓参り用手桶２としては、図示のような、細長い板を縦に並べ合せて円筒形の側（ガワ）を作成し、底部をつけ、箍（たが）で締め、水などを盛れるように桶本体部２０１と桶柄部（把手部）２００とを有してなるものを例示したが、左右両側の支柱２０００，２００１と当該左右両側の支柱２０００，２００１の間に介装された手把持部２００２とからなる当該桶柄部（桶把手部）２００を有するような墓参り用手桶２に代えて、当該当該桶柄部（把手部）２００が、リング状の把手であるような墓参り用手桶２等であってもよい。
当該墓参り用手桶２は、木製、金属製等で構成される。
【００１０】
当該墓参り用手桶及び墓参り用柄杓の収納具１においては、図１、図２及び図３に示すように、墓参り用柄杓３に対して、当該当該墓参り用柄杓３の杓柄部３００を下方にして収納できる杓用開口収納部１０２に連設して、当該杓用開口収納部１０２の下部に、杓側導水部１０３が設けられている。
当該杓側導水部１０３は、例えば、当該墓参り用柄杓３の使用後に、当該墓参り用柄杓３の杓本体部（水を盛る為の杓部）３０１に付着した水や当該杓用開口収納部１０２の開口から侵入してきた雨水等を、下方に導き、外部に出すことができる。
【００１１】
当該墓参り用柄杓３としては、図示のような、杓本体部（合部）３０１と杓柄部３００とを備えたものを例示したが、湯、水などを汲み取ることができれば、他の形態の茶道用具様のものであってもよい。  当該墓参り用柄杓３は、木製、金属製等で構成される。
【００１２】
当該墓参り用手桶及び墓参り用柄杓の収納具１においては、図４に示すように、ロウソク、線香等の墓参り用具入れ４を、当該桶用開口収納部１００に設けてなるとよい。
当該墓参り用具入れ４は、桶側空間部１０１の上部の当該収納具１の底部に載置されている。当該墓参り用具入れ４用に、当該収納具１の図示前面側に、当該墓参り用具入れ４を挿通できる穴を水平方向に設け又、当該収納具１の図示後面側にも当該墓参り用具入れ４を挿通できる穴を設け、当該穴を貫通させ、引き出し様の当該墓参り用具入れ４を、当該収納具１の下部に装着する。当該墓参り用具入れ４は、底面、天面、左右側面及び後面の５面に構成され、前面（正面）にロウソク、線香等の墓参り用具を入れることができる開口４００を設け、又、引き出しが容易なように、取手４０１を設ける。
当該開口４００及び取手４０１は、前面側でなく後面側や左右側面側に設けてもよい。その他適宜改変が可能である。又、脱着可能な蓋体などを当該墓参り用具入れ４の前に装着できるようにしてもよい。
当該取手４０１は、リング状のものを取り付ける等の改変が可能である。
当該引き出し様の墓参り用具入れ４は、金属などにより構成される。
【００１３】
当該墓参り用手桶及び墓参り用柄杓の収納具１においては、墓とは個別に、石材等で構成することもできるが、図５に示すように、墓石などと共に、石材により墓地の一隅に、建立し、当該墓参り用手桶及び墓参り用柄杓の収納具１と共に、自己の墓５を形成し、図示のように、墓参り用手桶２を逆さまにして当該手桶２の桶柄部２００を下方にして、当該収納具１の桶用開口収納部１００に収納し、又、墓参り用柄杓３を逆さまにして当該柄杓３の杓柄部３００を下方にして、当該収納具１の杓用開口収納部１０２に収納しておけば、当該手桶２や柄杓３を、墓参り毎に持ち運ぶ手間が省け、自分専用の手桶２や柄杓３を使用でき、自分専用の他人の物とは区別できる手桶２や柄杓３を置いておくことができる等の利点がある。
又、当該墓参り用手桶及び墓参り用柄杓の収納具１の桶用開口収納部１００の下部の桶側空間部１０１からは、当該墓参り用手桶２の使用後の桶本体部２０１に付着した水や雨水等を、下方に導くことができ、水抜きを行うことができ、水が溜まってしまう等の欠点がなく、又、葉などが前記墓参り用手桶２用の桶用開口収納部１００における開口から入ってきたときに、当該桶側空間部１０１の底部から外部に出すことができ、当該底部の桶側空間部１０１は、当該墓参り用手桶及び墓参り用柄杓の収納具１の桶用開口収納部１００に付着した苔などの清掃時の水や当該苔などを外部に出すことができる利点がある。
引き出し様の当該墓参り用具入れ４を当該収納具１の下部に装着すれば、当該墓参り用具入れ４の内部にロウソク、線香等の墓参り用具を入れておくことができる。
ロウソク、線香等の墓参り用具を、当該引き出し様の当該墓参り用具入れ４に収納しておけば、墓参りのその都度、マッチ、数珠、鋏、掃除用具などの小物の墓地用具を用意する必要がなく、又、手に持っていかなくても済ますことができる。
当該墓参り用具入れ４の上部に水などが溜まっても、当該引き出し様の当該墓参り用具入れ４を引き出しすることにより、底部の桶側空間部１０１から、前記と同様に、当該水等を外部に出すことができる。
【００１４】
当該墓参り用手桶及び墓参り用柄杓の収納具１においては、図６に示すように、墓５の外柵Ｇの墓石に桶用開口収納部１００と桶側空間部１０１と杓用開口収納部１０２とを形成して収納部１を構成し、墓参り用手桶を逆さまにして当該手桶の桶柄部を下方にして、当該収納部１の桶用開口収納部１００に収納し、又、墓参り用柄杓を逆さまにして当該柄杓の杓柄部を下方にして、当該収納部１の杓用開口収納部１０２に収納しておけば、当該手桶や柄杓を、墓参り毎に持ち運ぶ手間が省け、自分専用の手桶や柄杓を使用でき、自分専用の他人の物とは区別できる手桶や柄杓を置いておくことができる等の上記と同様の利点がある。当該収納部１においては、上記と同様に、桶側空間部１０１を有し、当該桶側空間部１０１は、墓参り用手桶の桶本体部に付着した水や当該桶用開口収納部１００の開口から侵入してきた雨水等を、下方に導くことができ、水抜きを行うことができ、又、葉などが当該墓参り用手桶用の桶用開口収納部１００における開口から入ってきたときにも外部に出すことができる等の機能を果たし、当該桶側空間部１０１は、図６に示すように、底部にも延設され、桶用開口収納部１００における開口と当該桶側空間部１０１とは、上下に貫通しており、当該底部の当該桶側空間部１０１から手やホウキなどを差し込んで、当該桶側空間部１０１から落下してきた落ち葉などを清掃することができる。
この場合、前記と同様に、杓用導水部１０３を、当該外柵Ｇに設けることができる。
更に、図６に示すように、引き出し様の当該墓参り用具入れ４を、当該収納具１の下部に装着すれば、当該墓参り用具入れ４の内部にロウソク、線香等の墓参り用具を入れておくことができる。当該墓参り用具入れ４の上部に水などが溜まっても、当該引き出し様の当該墓参り用具入れ４を引き出しすることにより、底部の桶側空間部１０１から外部に出すことができる。杓用導水部１０３から水抜きすることができる。
【００１５】
当該墓参り用手桶及び墓参り用柄杓の収納具１においては、図７に示すように、墓５の親柱Ｐの墓石に桶用開口収納部１００と桶側空間部１０１と杓用開口収納部１０２とを形成して収納部１を構成し、墓参り用手桶を逆さまにして当該手桶の桶柄部を下方にして、当該収納部１の桶用開口収納部１００に収納し、又、墓参り用柄杓を逆さまにして当該柄杓の杓柄部を下方にして、当該収納部１の杓用開口収納部１０２に収納しておけば、当該手桶や柄杓を、墓参り毎に持ち運ぶ手間が省け、自分専用の手桶や柄杓を使用でき、自分専用の他人の物とは区別できる手桶や柄杓を置いておくことができる等の上記と同様の利点がある。当該収納部１においては、上記と同様に、桶側空間部１０１を有し、当該桶側空間部１０１は、墓参り用手桶の桶本体部に付着した水や当該桶用開口収納部１００の開口から侵入してきた雨水等を、下方に導くことができ、水抜きを行うことができ、又、葉などが当該墓参り用手桶用の桶用開口収納部１００における開口から入ってきたときにも外部に出すことができる等の機能を果たし、当該桶側空間部１０１は、図７に示すように、底部にも延設され、桶用開口収納部１００における開口と当該桶側空間部１０１とは、上下に貫通しており、当該底部の当該桶側空間部１０１から手やホウキなどを差し込んで、当該桶側空間部１０１から落下してきた落ち葉などを清掃することができる。
この場合、前記と同様に、杓用導水部１０３を、当該親柱Ｐに設けることができる。
更に、図示が省略されているが、引き出し様の当該墓参り用具入れ４を、当該親柱Ｐに装着するようにすれば、当該墓参り用具入れ４の内部にロウソク、線香等の墓参り用具を入れておくことができる。当該墓参り用具入れ４の上部に水などが溜まっても、当該引き出し様の当該墓参り用具入れ４を引き出しすることにより、底部の桶側空間部１０１から外部に出すことができる。
【００１６】
上記の実施例では、当該墓参り用手桶及び墓参り用柄杓の収納具１においては、図１、図２及び図３に示すように、墓参り用手桶２の手桶用開口収納部１００と、墓参り用柄杓３の杓用開口収納部１０２とを別々に設けた実施例を示したが、図８、図９及び図１０に示すように、前記実施例の当該墓参り用手桶２の手桶用開口収納部１００と墓参り用柄杓３の杓用開口収納部１０２とを一体にして桶杓両用開口収納部１０４とし、当該桶杓両用開口収納部１０４に、当該墓参り用手桶２及び墓参り用柄杓３を一緒にして立て掛け、載置できるようにしてもよい。即ち、図示のように、当該墓参り用手桶２及び墓参り用柄杓３の桶本体部２０１及び杓本体部３０１を上に、一方、当該墓参り用手桶２及び墓参り用柄杓３の桶柄部２００及び杓柄部３００を下にして、桶杓両用開口収納部１０４に一緒に立掛け、載置できるようにしてもよい。
又、当該一体化された当該桶杓両用開口収納部１０４を有する当該墓参り用手桶及び墓参り用柄杓の収納具１を、墓場に設置して、前記実施例と同様にして墓（図示省略）を形成してもよい。
前記のように、墓の外柵Ｇや親柱Ｐ等の墓石に墓参り用手桶２の手桶用開口収納部１００と墓参り用柄杓３の杓用開口収納部１０２とを一体にした桶杓両用開口収納部１０４を形成して収納部１を構成してもよい。又、当該一体にした桶杓両用開口収納部１０４を有する収納部１を設けて前記と同様にして墓を形成してもよい。
更に、図示が省略されているが、引き出し様の当該墓参り用具入れ４を、当該外柵Ｇや親柱Ｐなどに装着するようにすれば、当該墓参り用具入れ４の内部にロウソク、線香等の墓参り用具を入れておくことができる。当該墓参り用具入れ４の上部に水などが溜まっても、当該引き出し様の当該墓参り用具入れ４を引き出しすることにより、底部の桶側空間部１０１から外部に出すことができる。
【００１７】
本考案は上記実施例に限定されず、適宜変更が可能である。
【産業上の利用可能性】
【００１８】
本考案は、各種の場合に適用できる。
【図面の簡単な説明】
【００１９】
【図１】本考案の実施例を示す墓参り用手桶及び墓参り用柄杓の収納具の立て掛け前一例構成図である。
【図２】本考案の実施例を示す墓参り用手桶及び墓参り用柄杓の収納具の立て掛け後一例構成図である。
【図３】本考案の実施例を示す墓参り用手桶及び墓参り用柄杓の収納具の立て掛け後一例断面図である。
【図４】本考案の他の実施例を示す墓参り用手桶及び墓参り用柄杓の収納具の立て掛け前一例構成図である。
【図５】本考案の実施例を示す墓参り用手桶及び墓参り用柄杓の収納具の設置により墓を構成してなる一例構成図である。
【図６】本考案の実施例を示す墓参り用手桶及び墓参り用柄杓の収納部を設けてなる墓の一例構成図である。
【図７】本考案の他の実施例を示す墓参り用手桶及び墓参り用柄杓の収納部を設けてなる墓の一例構成図である。
【図８】本考案の他の実施例を示す墓参り用手桶及び墓参り用柄杓の収納具の立て掛け前一例構成図である。
【図９】本考案の他の実施例を示す墓参り用手桶及び墓参り用柄杓の収納具の立て掛けを説明する一例構成図である。
【図１０】本考案の他の実施例を示す墓参り用手桶及び墓参り用柄杓の収納具の立て掛け後一例断面図である。
【符号の説明】
【００２０】
１…墓参り用手桶及び墓参り用柄杓の収納具
２…墓参り用手桶
３…墓参り用柄杓
４…墓参り用具入れ
５…墓
１００…手桶用開口収納部
１０１…桶側空間部
１０２…杓用開口収納部
１０３…杓用導水部
１０４…桶杓両用開口収納部
１０５…桶杓両用空間部
２００…桶柄部
２０１…桶本体部
３００…杓柄部
３０１…杓本体部
Ｇ…    外柵
Ｐ…    親柱
【図１】
0003148621.tif 000003
【図２】
0003148621.tif 000004
【図３】
0003148621.tif 000005
【図４】
0003148621.tif 000006
【図５】
0003148621.tif 000007
【図６】
0003148621.tif 000008
【図７】
0003148621.tif 000009
【図８】
0003148621.tif 000010
【図９】
0003148621.tif 000011
【図１０】
0003148621.tif 000012